(57)【特許請求の範囲】
【請求項１】
隣接する二辺の表面側に横さねおよび縦さねがそれぞれ形成されるとともに、他の隣接する二辺の裏面側に前記表面側横さねおよび縦さねに対応する横さねおよび縦さねがそれぞれ形成された方形状の外壁サイディングを、固定金具によって固定する固定構造であって、
前記固定金具は、下地板に固定可能な本体と、この本体に一体に固定され、下方の外壁サイディングの表面側横さねおよび上方の外壁サイディングの裏面側横さねをそれぞれ係止可能な係止部と、本体および係止部にわたって貼着された水密材と、から構成され、前記係止部は、水平片と、水平片の両端部を除く中間部の先端縁から下方に折曲された第１係止片と、水平片の両端部の先端縁から上方に折曲された第２係止片とを備え、前記水密材は、係止部の第１係止片の両端部に対応して、本体、係止部の水平片および第１係止片にわたって、この両端部のみにそれぞれ貼着されてなり、
下方の外壁サイディングの表面側横さねが、固定金具の第１係止片に係止されるとともに、上方左右一対の外壁サイディングの接ぎ合わせ部が固定金具の幅方向略中間部に位置するように、上方の外壁サイディングの裏面が固定金具の本体の支持部に沿わせて落とし込まれ、その下辺の裏面側横さねが固定金具の係止部の第２係止片に係止固定されるとともに、下方の外壁サイディングの表面側横さねに接ぎ合わされて、左右一対の外壁サイディングの接ぎ合わせ部と上下一対の外壁サイディングの接ぎ合わせ部が交わる箇所に固定金具が固定されてなることを特徴とする外壁サイディングの固定構造。
【発明の詳細な説明】
【０００１】
【発明の属する技術分野】
本発明は、外壁サイディングの固定構造に関するものである。
【０００２】
【従来の技術】
近年、外壁構成材としてサイディングが採用されている。この外壁サイディング１０は、例えば、繊維混入セメント板を方形に形成したもので、図４乃至図６に示すように、隣接する二辺、具体的には、上辺および右辺の表面側に断面方形の切欠部１０ａによる横さね１０ｘａおよび縦さね１０ｙａがそれぞれ形成されるとともに、他の隣接する二辺である下辺および左辺の裏面側に、前記表面側切欠部１０ａに略対応する断面方形の切欠部１０ｂによる横さね１０ｘｂおよび縦さね１０ｙｂがそれぞれ形成されている。
【０００３】
また、このような外壁サイディング１０を固定する固定金具１３は、図７に示すように、断面略鉤状に形成されて外壁サイディング１０の裏面を支持する支持部１３１を有し、該支持部１３１の両端部近傍に切り込みを形成して下方の外壁サイディング１０の上辺の表面側横さね１０ｘａを係止可能な第１係止片１３２を折曲するとともに、支持部１３１の中央上部にコ字状の切り込みを形成して上方の外壁サイディング１０の下辺の裏面側横さね１０ｘｂを係止可能な第２係止片１３３を折曲したものである。
【０００４】
なお、支持部１３１の上端縁から上方に延びる取付部１３４には、複数個の取付穴１３４ａが形成されており、この取付穴１３４ａを通してビスを打ち込むことにより後述する下地板１１に固定することができる。
【０００５】
このような外壁サイディング１０を施工するには、まず、躯体に下地板１１（図８参照）を固定し、下地板１１の室外側表面に防水紙１２などを貼着して防水処理を施した後、隣接する一対の外壁サイディング１０，１０において、左方の外壁サイディング１０の右辺の表面側切欠部１０ａに右方の外壁サイディング１０の左辺の裏面側切欠部１０ｂを接ぎ合わせる。この際、固定金具１３を下地板１１に固定し、その第１係止片１３２を左右一対の外壁サイディング１０，１０の上辺の表面側横さね１０ｘａ，１０ｘａにそれぞれ係止させ、左右一対の外壁サイディング１０，１０が脱落しないように固定する。外壁サイディング１０を横方向に順次接ぎ合わせたならば、その上方に外壁サイディング１０を接ぎ合わせる。すなわち、上下一対の外壁サイディング１０において、下方の外壁サイディング１０の上辺の表面側切欠部１０ａに上方の外壁サイディング１０の下辺の裏面側切欠部１０ｂを接ぎ合わせる。この際、上方の外壁サイディング１０の下辺の裏面側横さね１０ｘｂを前述した固定金具１３の第２係止片１３３に係止させ、上方の外壁サイディング１０を固定する。
【０００６】
なお、最下方の外壁サイディング１０の下端部は、図示しない止め金具を介して固定されている。
【０００７】
以下同様に、外壁サイディング１０を左右方向に接ぎ合わせるとともに、上下方向に接ぎ合わせるものである。
【０００８】
【発明が解決しようとする課題】
ところで、このような外壁サイディング１０は、仮に外壁サイディング１０の裏面側に雨水が浸入したとしても、前述したように、下地板１１の防水処理により室内への雨水などの浸入を防止できることを前提としており、外壁サイディング１０の接ぎ合わせ部の水密性は考慮されていない。
【０００９】
したがって、外壁サイディング１０を接ぎ合わせた場合、上下一対の外壁サイディング１０，１０における上辺の表面側切欠部１０ａと下辺の裏面側切欠部１０ｂとの接ぎ合わせ部では、立ち上がり部（表面側横さね１０ｘａ）を有するために一定の水密性を確保することはできるものの、左右一対の外壁サイディング１０，１０における右辺の表面側切欠部１０ａと左辺の裏面側切欠部１０ｂとの接ぎ合わせ部では、ほとんど水密性を確保することができない。
【００１０】
特に、左右一対の外壁サイディング１０，１０の接ぎ合わせ部と上下一対の外壁サイディング１０，１０の接ぎ合わせ部が交わる箇所、具体的には、図９に示すように、表面側縦目地と裏面側横目地との交点Ｐにおいては、外壁サイディング１０の表面側から裏面側に貫通する小孔が形成される。このため、外壁サイディング１０の表面側から接ぎ合わせ部に回り込んだ雨水などは、縦さね１０ｙａ，１０ｙｂを流下して固定金具１３の第２係止片１３３に達し、第２係止片１３３を折曲するために形成された切り込みによる開口１３３ａ（図７参照）を通して固定金具１３の裏面側に流れ、さらに、前述した小孔を通して外壁サイディング１０の裏面側に浸入することを避けることができない。
【００１１】
この結果、外壁サイディング１０の裏面は浸入した雨水などによって濡れることになり、寒冷地においては、裏面側に浸入した水が凍結し、外壁サイディング１０の耐久性が低下するおそれがある。
【００１２】
本発明は、このような問題点に鑑みてなされたもので、外壁サイディングの接ぎ合わせ部に回り込んで縦さねを流下する雨水などを確実に表面側に排水して裏面側に浸入することを可及的に防止することのできる外壁サイディングの固定構造を提供するものである。
【００１３】
【課題を解決するための手段】
本発明は、隣接する二辺の表面側に横さねおよび縦さねがそれぞれ形成されるとともに、他の隣接する二辺の裏面側に前記表面側横さねおよび縦さねに対応する横さねおよび縦さねがそれぞれ形成された方形状の外壁サイディングを、固定金具によって固定する固定構造であって、前記固定金具は、下地板に固定可能な本体と、この本体に一体に固定され、下方の外壁サイディングの表面側横さねおよび上方の外壁サイディングの裏面側横さねをそれぞれ係止可能な係止部と、本体および係止部にわたって貼着された水密材と、から構成され、前記係止部は、水平片と、水平片の両端部を除く中間部の先端縁から下方に折曲された第１係止片と、水平片の両端部の先端縁から上方に折曲された第２係止片とを備え、前記水密材は、係止部の第１係止片の両端部に対応して、本体、係止部の水平片および第１係止片にわたって、この両端部のみにそれぞれ貼着されてなり、下方の外壁サイディングの表面側横さねが、固定金具の第１係止片に係止されるとともに、上方左右一対の外壁サイディングの接ぎ合わせ部が固定金具の幅方向略中間部に位置するように、上方の外壁サイディングの裏面が固定金具の本体の支持部に沿わせて落とし込まれ、その下辺の裏面側横さねが固定金具の係止部の第２係止片に係止固定されるとともに、下方の外壁サイディングの表面側横さねに接ぎ合わされて、左右一対の外壁サイディングの接ぎ合わせ部と上下一対の外壁サイディングの接ぎ合わせ部が交わる箇所に固定金具が固定されてなることを特徴とするものである。
【００１４】
本発明によれば、左右一対の外壁サイディングの接ぎ合わせ部と上下一対の外壁サイディングの接ぎ合わせ部が交わる箇所に対応して取り付けられた固定金具により、下方の外壁サイディングと上方の外壁サイディングが固定されることから、左右一対の外壁サイディングの接ぎ合わせ部と上下一対の外壁サイディングの接ぎ合わせ部が交わる箇所において外壁サイディングの表面側から裏面側に貫通する小孔は固定金具で遮られる。したがって、外壁サイディングの接ぎ合わせ部に回り込んだ雨水などは、縦さねを流下して固定金具の係止部に達し、そのまま係止部から下方の外壁サイディングの表面側横さねを経てその表面側に排水される。この際、係止部の水平片に沿って左右方向に流出しようとしても、水密材によってそれ以上の左右方向の流出は阻止され、同様に、係止部および下方の外壁サイディングの表面側横さねを経てその表面側に排水される。
【００１５】
この結果、外壁サイディングの接ぎ合わせ部を回り込んで裏面側に浸入しようとする雨水などを可及的に低減することが可能となり、寒冷地における外壁サイディングの凍害の発生を防止することができる。
【００１６】
【発明の実施の形態】
以下、本発明の実施の形態を図面を参照しつつ説明する。
【００１７】
図１には、本発明の外壁サイディングの固定金具１の一実施形態が示されている。
【００１８】
この固定金具１は、本体２と、この本体２と一体に溶着された係止部３と、本体２から係止部３にかけて貼着された水密材４と、から構成されている。
【００１９】
本体２は、断面略鉤状に折曲され、外壁サイディング１０の裏面に当接して支持する支持部２１と、該支持部２１の上端縁から上方に延びる取付部２２とを備え、取付部２２に形成された複数個の取付穴２２ａを通してビスを打ち込むことにより下地板１１に固定される。
【００２０】
係止部３は、本体２の幅に相当する長さを有して水平方向に延びる水平片３１と、該水平片３１の両端部を除く中間部の先端縁から下方に折曲された第１垂直片３２と、水平片３１の両端部の先端縁から上方に折曲された第２垂直片３３，３３と、を備えている。
【００２１】
水密材４は、第１垂直片３２の左右両端部に対応する位置において、本体２の支持部２１の上端部近傍から係止部３の水平片３１を経て第１垂直片３２にわたってそれぞれ貼着されている。
【００２２】
次に、このように構成した固定金具１を用いて外壁サイディング１０を固定する施工要領について説明する。
【００２３】
なお、外壁サイディング１０は、先に説明したものと同一であり、その詳細な説明は省略する。
【００２４】
まず、躯体に下地板１１（図８参照）を固定するとともに、下地板１１の室外側表面に防水紙１２などを貼着して防水処理を施す。また、最下方に配置される外壁サイディング１０の下辺の裏面側切欠部１０ｂに対応して設定間隔をおいて図示しない止め金具を下地板１１に予め固定しておく。
【００２５】
この後、左下隅に配置される外壁サイディング１０の下辺の裏面側横さね１０ｘｂを図示しない止め金具に係止支持させた後、幅方向略中間部において、固定金具１を下地板１１に固定し、第１垂直片３２を外壁サイディング１０の表面側横さね１０ｘａに係止させ、脱落しないように固定する。次いで、先に固定された外壁サイディング１０の右方に配置される外壁サイディング１０を把持し、その下辺を図示しない止め金具に係止支持させるとともに、その裏面側縦さね１０ｙｂを先に固定された外壁サイディング１０の表面側縦さね１０ｙａに接ぎ合わせた後、同様に、その幅方向略中間部において、固定金具１を下地板１１に固定し、第１垂直片３２を右方の外壁サイディング１０の表面側横さね１０ｘａに係止させて固定する。さらに、左右一対の外壁サイディング１０，１０の接ぎ合わせ部において、固定金具１３を下地板１１に固定し、その第１係止片３２を左右一対の外壁サイディング１０，１０の上辺の表面側横さね１０ｘａ，１０ｘａにそれぞれ係止させ、左右一対の外壁サイディング１０，１０を固定する。
【００２６】
以下同様に、外壁サイディング１０を横方向に順次接ぎ合わせたならば、その上方に外壁サイディング１０を接ぎ合わせる。すなわち、下方の外壁サイディング１０を固定した固定金具１の幅方向略中間部に縦目地が形成されるように、上方の外壁サイディング１０の裏面を固定金具１の本体２の支持部２１に沿わせて落とし込み、その下辺の裏面側横さね１０ｘｂを固定金具１の係止部３の左方の第２係止片３３に係止固定させるとともに、下方の外壁サイディング１０の表面側横さね１０ｘａに接ぎ合わせる。また、上方の外壁サイディング１０の幅方向略中間部において、固定金具１を下地板１１に固定し、第１垂直片３２を上方の外壁サイディング１０の表面側横さね１０ｘａに係止させて固定する。
【００２７】
ここで、上方の外壁サイディング１０の右辺の表面側縦さね１０ｙａの裏面側下部には固定金具１が配置されているため、上下一対の外壁サイディング１０，１０において、それらの表面側縦目地と裏面側横目地との交点Ｐ（図９参照）は、固定金具１によって遮られている。
【００２８】
以下同様に、外壁サイディング１０を左右方向に接ぎ合わせるとともに、上下方向に接ぎ合わせるものである。
【００２９】
なお、外壁サイディング１０の表面側横さね１０ｘａおよび表面側縦さね１０ｙａには、それぞれ水密材２０が貼着されている。
【００３０】
このように施工された外壁サイディング１０においては、雨水などが外壁サイディング１０の表面側から接ぎ合わせ部に回り込み、縦さね１０ｙａ，１０ｙｂを流下した場合、図２に矢印で示すように、固定金具１の係止部３の水平片３１に滴下し、第１垂直片３２を伝って下方の外壁サイディング１０の表面側横さね１０ｘａに達し、上下一対の外壁サイディング１０，１０の接ぎ合わせ部を経て下方の外壁サイディング１０の表面側に流出する。また、支持部３の水平片３１に流下した雨水などが、水平片３１に沿って左右方向に流れたとしても、水密材４によってそれ以上の左右方向への流出は阻止されることから、同様に、第１垂直片３２および下方の外壁サイディング１０の表面側横さね１０ｘａを経て上下一対の外壁サイディング１０，１０の接ぎ合わせ部から下方の外壁サイディング１０の表面側に流出する。
【００３１】
したがって、外壁サイディング１０の表面側から接ぎ合わせ部に回り込んだ雨水などは、固定金具１を介して上下一対の外壁サイディング１０，１０の接ぎ合わせ部から下方の外壁サイディング１０の表面側に排水される。この結果、雨水などは、固定金具１に遮られて外壁サイディング１０の裏面側に浸入することが可及的に低減され、寒冷地において、外壁サイディング１０の凍害の発生を防止することができる。
【００３２】
なお、前述した実施形態においては、左右一対の外壁サイディング１０，１０を接ぎ合わせることによって形成される縦目地が連続しないように、上方の外壁サイディング１０を下方の外壁サイディング１０に接ぎ合わせた場合を説明したが、上下左右４枚の外壁サイディング１０を接ぎ合わせた際に縦目地が連続するように固定金具１を介して取り付けることもできる。この場合は、隣接する一対の外壁サイディング１０，１０において、固定金具１の係止部３の第１垂直片３２を左右一対の外壁サイディング１０，１０の表面側横さね１０ｘａ，１０ｘａにわたって係止させるように、固定金具１を下地板１１に固定すればよい（図３参照）。
【００３３】
また、外壁サイディング１の表面側右辺に縦さね１ｙａを形成した場合を説明したが、表面側左辺に縦さねを形成してもよい。この場合は、右下隅から順次左方向に外壁サイディング１０を接ぎ合わせていけばよい。
【００３４】
【発明の効果】
以上のように本発明によれば、左右一対の外壁サイディングの接ぎ合わせ部と上下一対の外壁サイディングの接ぎ合わせ部が交わる箇所に対応して取り付けられた固定金具により、下方の外壁サイディングと上方の外壁サイディングが固定されることから、左右一対の外壁サイディングの接ぎ合わせ部と上下一対の外壁サイディングの接ぎ合わせ部が交わる箇所において外壁サイディングの表面側から裏面側に貫通する小孔は固定金具で遮られる。したがって、外壁サイディングの接ぎ合わせ部に回り込んだ雨水などは、縦さねを流下して固定金具の係止部に達し、そのまま係止部から下方の外壁サイディングの表面側横さねを経てその表面側に排水される。この際、係止部の水平片に沿って左右方向に流出しようとしても、水密材によってそれ以上の左右方向の流出は阻止され、同様に、係止部および下方の外壁サイディングの表面側横さねを経てその表面側に排水される。
【００３５】
この結果、外壁サイディングの接ぎ合わせ部を回り込んで裏面側に浸入しようとする雨水などを可及的に低減することが可能となり、寒冷地における外壁サイディングの凍害の発生を防止することができる。
【図面の簡単な説明】
【図１】  本発明の外壁サイディングの固定構造に用いられる固定金具を示す斜視図である。
【図２】図１の固定金具を用いて外壁サイディングを縦目地が連続しないように取り付ける施工要領を一部省略して示す説明図である。
【図３】図１の固定金具を用いて外壁サイディングを縦目地が連続するように取り付ける施工要領を一部省略して示す説明図である。
【図４】外壁サイディングを示す正面図である。
【図５】図４のＸ−Ｘ線断面図である。
【図６】図４のＹ−Ｙ線断面図である。
【図７】従来の外壁サイディングの固定金具を示す斜視図である。
【図８】従来の固定金具を用いて外壁サイディングを固定した状態を示す縦断面図である。
【図９】外壁サイディングを接ぎ合わせた場合を一部省略して示す斜視図である。
【符号の説明】
１  固定金具
２  本体
２１  支持部
２２  取付部
３  係止部
３１  水平片
３２  第１垂直片
３３  第２垂直片
４  水密材
１０  外壁サイディング
１０ａ  表面側切欠部
１０ｂ  裏面側切欠部
１０ｘａ  表面側横さね
１０ｙａ  表面側縦さね
１０ｘｂ  裏面側横さね
１０ｙｂ  裏面側縦さね
１１  下地板
【図１】
0003842023.tif 000002
【図２】
0003842023.tif 000003
【図３】
0003842023.tif 000004
【図４】
0003842023.tif 000005
【図５】
0003842023.tif 000006
【図６】
0003842023.tif 000007
【図７】
0003842023.tif 000008
【図８】
0003842023.tif 000009
【図９】
0003842023.tif 000010